(57)【要約】      （修正有）【課題】  構成部材の点数が少なく、好ましい真空吸着効果が得られ、吸着部材が破損しにくい吸盤を提供する。【解決手段】吸着部材１０１と回転カバー３００からなり、吸着部材１０１は上面の中央の位置に上方に突出した柱体１０２を一体に形成し、柱体１０２は中空に形成し、内壁面に雌ねじ部１０３を刻設し、回転カバー３００は上面中央位置に他の物品の吊止などに供する突起部３０１を一体に形成し、回転カバー３００の上面には突起部３０１を中心としてその外周に引掛かり部３０２を一体に形成し、回転カバー３００の底面には中央の位置に螺合柱３０３を一体に形成し、螺合柱３０３を中心とする外周に環状の内側当接部３０４を一体に形成すると共に、螺合柱３０３と内側当接部３０４との間に所定幅の収納空間３０５を形成し、内側当接部３０４の高さは該螺合柱３０３より高くし、回転カバー３００の底面の外周縁部に環状の外側当接部３０６を一体に形成した。【選択図】図３
0003108707.tif 000002
【実用新案登録請求の範囲】
【請求項１】
吸着部材と回転カバーとによって構成される吸盤であって、
前記吸着部材は上面の中央の位置に上方に突出した柱体を一体に形成し、該柱体は中空に形成されて、中空内壁面に雌ねじ部を刻設してなり、
前記回転カバーは上面の中央の位置に他の物品の吊止などに供する突起部を一体に形成し、該回転カバーの上面には、前記突起部を中心として、その外周に引掛かり部を一体に形成し、且つ前記回転カバーの底面には中央の位置に螺合柱を一体に形成し、該螺合柱を中心とする外周に、環状の内側当接部を一体に形成するとともに、該螺合柱と内側当接部との間に所定の幅の収納空間を形成し、該内側当接部の高さは該螺合柱より高くし、更に前記回転カバーの底面の外周縁部に環状の外側当接部を一体に形成してなり、
使用時において、被吸着物に吸盤を吸着する位置に前記吸着部材を予め吸着させた後に、前記回転カバーの螺合柱を前記吸着部材の雌ねじ部に位置決めして、前記回転カバーを回転させて螺合し、前記吸着部材の外周縁部を前記回転カバーの外側当接部で押圧し、前記螺合柱で該吸着部材の柱体を上方に引っ張り、前記回転カバーの内側当接部で下方に押圧するように組み立て構成することを特徴とする吸盤。
【考案の詳細な説明】
【技術分野】
【０００１】
この考案は吸盤の構造の改良に関する。
【背景技術】
【０００２】
タイルや、ガラス、ステンレスなどの材質の表面が滑らかな物品の平面に他の物品を連結する場合、該被連結物品の表面を傷つけることなく連結の目的を達成するためには、真空吸着の原理を応用した吸盤を用いる方法が挙げられるが、吸盤による吸着は一般に好ましい真空吸着効果が得られないという不具合がある。したがって、現在このような欠点である課題の改善・改良が望まれている。
【０００３】
アメリカ合衆国特許公報第６，４７８，２７１Ｂ１号は、吸盤の改良構造を提供するものであって、該特許公報の図２、図３によれば、吸着部材１０と、当接盤２０と、回転盤３０とによって構成される。係る吸盤は、構造を簡易化したものであり、構成部材の点数を減少させることによって、使用上更に便利になっている上に、生産のための金型の数を少なくすることができるようになっている。該吸盤を使用する場合、回転盤３０によって吸着部材１０のネジ孔３１１がネジロッド１２を上方に引き上げるようにすると、吸着部材１０の底面側に真空空間が発生すると共に、吸着部材１０の外周縁部が環状当接面２２によって押圧されるようになる。
しかし、係る構造は、引っ張りと押圧とによって、ゴム材によってなる吸着部材１０の付け根の部分が容易に破損してしまう。
また、吸着部材１０を更に上方に引くと底面に大きな空間が発生し、真空吸着力が低下する。
【０００４】
このように、従来の技術による吸盤は、吸盤を構成する部材の構成部品数の問題、及び吸着部材と被吸着物品との間の吸着力の問題について改善の余地を残す。
また、吸着部材を用いた構造においては、吸着部材が回転盤によって上方に引っぱられる場合、該吸着部材の外周縁部が環状当接面によって押圧され、引っ張りと押圧の力を受けることから、外吸着部材の付け根の部分が容易に破損するという欠点を有する。これらの欠点について改善が望まれている。
【特許文献１】アメリカ合衆国特許公報第６，４７８，２７１Ｂ１号
【考案の開示】
【考案が解決しようとする課題】
【０００５】
この考案は吸盤を構成する部材の点数が少なく、且つ好ましい真空吸着効果が得られる吸盤を提供することを課題とする。
また、この考案は吸着部材が破損しにくい吸盤を提供することを課題とする。
【課題を解決するための手段】
【０００６】
そこで、本考案者は従来の技術に見られる欠点に鑑み鋭意研究を重ねた結果、上面の中央の位置に中空で内壁に螺刻した柱体を一体に形成した吸着部材と、底面の該柱体に対応する位置に螺合柱を一体に形成し、且つ該螺合柱を中心とする外周に環状で該螺合柱より高い内側当接部を一体に形成して該螺合柱と内側当接部との間に所定の幅の収納空間を形成し、更に底面の外周縁部に環状の外側当接部を一体に形成してなる回転カバーとによってなる吸盤の構造によって課題を解決できる点に着眼し、かかる知見に基づいて本発明を完成させた。
以下、この考案について具体的に説明する。
【０００７】
請求項１に記載する吸盤は、吸着部材と回転カバーとによってなる吸盤であって、該吸着部材は上面の中央の位置に上方に突出した柱体を一体に形成し、該柱体は中空に形成し、内壁に螺刻して内部空間を螺合溝とし、該回転カバーは上面の中央の位置に他の物品の吊止などに供する突起部を一体に形成し、該回転カバーの上面には、該突起部を中心として、その外周に引掛かり部を一体に形成し、且つ該回転カバーの底面には中央の位置に螺合柱を一体に形成し、該螺合柱を中心とする外周に、環状の内側当接部を一体に形成するとともに、該螺合柱と内側当接部との間に所定の幅の収納空間を形成し、該内側当接部の高さは該螺合柱より高くし、更に該回転カバーの底面の外周縁部に環状の外側当接部を一体に形成してなり、使用時において、被吸着物に吸盤を吸着する位置に前記吸着部材を予め吸着させた後に、前記回転カバーの螺合柱を前記吸着部材の雌ねじ部に位置決めして、前記回転カバーを回転させて螺合し、前記吸着部材の外周縁部を前記回転カバーの外側当接部で押圧し、前記螺合柱で該吸着部材の柱体を上方に引っ張り、前記回転カバーの内側当接部で下方に押圧するように組み立て構成することを特徴とする。
【考案の効果】
【０００８】
本考案の吸盤は、構成部材の点数を少なくすることによって構造が簡易で取り扱いが容易になるとともに、生産性を高め、製造コストを節減することができるという利点がある。
【０００９】
また、この考案による吸盤は、好ましい吸着効果が得られるとともに、吸着部材が容易に破損しないという利点がある。
【考案を実施するための最良の形態】
【００１０】
この考案は、表面が平滑な物体上に吸着させ、他の物品を吊止するために用いる吸盤を提供するものであって、上面の中央の位置に中空で内壁面に雌ねじ部を螺刻した柱体を一体に形成した吸着部材と、底面の該柱体に対応する位置に螺合柱を一体に形成し、且つ該螺合柱を中心とする外周に環状で該螺合柱より高い内側当接部を一体に形成して該螺合柱と内側当接部との間に所定の幅の収納空間を形成し、更に底面の外周縁部に環状の外側当接部を一体に形成してなる回転カバーとによって構成し、吸盤を構成する部材の点数を減少させ、且つ好ましい吸着効果を得るという目的を、実現した。
係る構成の吸盤について、その構造と特徴を詳述するために具体的な実施例を挙げ、以下に説明する。
【実施例】
【００１１】
図１〜図３に開示するように、この考案による吸盤１００は、吸着部材１０１と回転カバー３００とによって構成されている。
該吸着部材１０１は上面の中央の位置に上方に突出した柱体１０２を一体に形成している。該柱体１０２は中空に形成されており内壁面に雌ねじ部１０３が刻設されている。該回転カバー３００は上面の中央の位置に、他の物品との吊止などに供する突起部３０１を一体に形成する。
【００１２】
また、回転カバー３００の上面には、該突起部３０１を中心として、その外周に引掛かり部３０２が一体に形成されている。該引掛かり部３０２は、回転カバー３００を手で回転させる場合に指先をかけるために提供するものであって、図示には凸状を開示するが、凹状であってもかまわない。
【００１３】
また、回転カバー３００の底面の中央の位置には、吸着部材１０１の柱体１０２に形成した雌ねじ部１０３に対応螺合する雄ねじ部３０３ａを刻設した螺合柱３０３が一体に形成されている。該螺合柱３０３を中心とする外周に、環状の内側当接部３０４を一体に形成し、且つ螺合柱３０３と内側当接部３０４との間に所定の幅の収納空間３０５を形成している。該内側当接部３０４の高さは螺合柱３０３より高く形成されている。更に、回転カバー３００の底面の外周縁部に、環状の外側当接部３０６を一体に形成している。
【００１４】
以上の部材を組立てて本考案の吸盤を実際に使用する場合には、まず吸着部材１０１を物品の吸着位置に吸着させ、回転カバー３００の底面に形成した収納空間３０５に吸着部材１０１の柱体１０２を挿入し、同時に回転カバー３００を回転させて、回転カバー３００の螺合柱３０３を吸着部材１０１に螺合させる。
【００１５】
この状態において回転カバー３００を更に回転させると、回転カバー３００の外側当接部３０６が吸着部材１０１の外周縁部に当接して押圧するようになる。そして、螺合柱３０３が吸着部材１０１の柱体１０２を上方に引っ張り上げる。更に、内側当接部３０４が吸着部材１０１の上面に当接して下方に押圧するように働く。よって吸着部材１０１の底面に好ましい吸着力が発生する。
【００１６】
以上の構成による吸盤は、吸着部材１０１と回転カバー３００とのみによって構成されるため、従来の構造に比して構成部材の点数が少なく、生産時における金型の数を減少させることができ、組立ても、簡易な作業で行うことができる。
【００１７】
また、回転カバー３００を回転させた場合、外側当接部３０６が吸着部材１０１の外周縁部を押圧し、且つ螺合柱３０３が吸着部材１０１の柱体１０２を上方に引っ張り上げ、内側当接部３０４が吸着部材１０１の上面を下方に押圧するように働く。よって吸着部材１０１は底面に好ましい吸着力が発生するとともに、従来技術に見られるような、吸着部材１０１が引っ張られて容易に破損する、という現象を防ぐことができる。
更に吸着部材１０１の底面に余剰の隙間が発生することを防ぐため、好ましい吸着効果が得られる。
【００１８】
以上はこの考案の好ましい実施例であって、この考案の権利範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１９】
【図１】この考案による吸盤の一実施例の外観を示した分解斜視図である。
【図２】図１に開示する吸盤の組み立てた状態の斜視図である。
【図３】図１に開示する吸盤の構造を示した断面図である。
【符号の説明】
【００２０】
１００      吸盤
１０１      吸着部材
１０２      柱体
１０３      雌ねじ部
３００      回転カバー
３０１      突起部
３０２      引掛かり部
３０３      螺合柱
３０３ａ    雄ねじ部
３０４      内側当接部
３０５      収納空間
３０６      外側当接部
【図１】
0003108707.tif 000003
【図２】
0003108707.tif 000004
【図３】
0003108707.tif 000005